(57)【要約】【課題】  像担持体と転写ローラーとの間に記録媒体を導いて、像担持体に形成されたトナー画像を記録媒体に転写させた後、転写ローラーを像担持体から離間させるにあたり、装置を大型化させることなく、転写ローラーを像担持体から十分に離間できるようにする。【解決手段】  中間転写ベルト17に形成されたトナー画像を記録媒体Sに転写させる二次転写ローラー19の回転軸19aを、回転支軸31に回転可能に取り付けられた第１アーム部材30に設けた軸受部32に回転可能に保持させると共に、支軸41を中心に回動される第２アーム部材40と、この第２アーム部材を回動させる偏心カム50とを設け、第２アーム部材を第１アーム部材に連結させ、前記の偏心カムの回転により第２アーム部材を介して前記の第１アーム部材を回動させて、二次転写ローラーを中間転写ベルトに対して近接・離間させるようにした。【選択図】  図２
2017097094.tif 000002
【特許請求の範囲】
【請求項１】
トナー画像が形成された像担持体と、像担持体に対向して設けられた転写ローラーとの間に記録媒体を導き、像担持体に形成されたトナー画像を前記の転写ローラーにより記録媒体に転写させる画像形成装置において、前記の転写ローラーの回転軸を、回転支軸に回転可能に取り付けられた第１アーム部材に設けた軸受部に回転可能に保持させ、この第１アーム部材を回動させて転写ローラーを像担持体に対して近接・離間させるにあたり、支軸を中心に回動される第２アーム部材と、この第２アーム部材を回動させる偏心カムとを設け、前記の第２アーム部材を前記の第１アーム部材に連結させ、前記の偏心カムの回転により回動される第２アーム部材を介して、前記の第１アーム部材を回動させることを特徴とする画像形成装置。
【請求項２】
請求項１に記載の画像形成装置において、前記の転写ローラーの回転軸を、一端部が回転支軸に回転可能に取り付けられた第１アーム部材に設けた軸受部に回転可能に保持させ、支軸を中心に回動される前記の第２アーム部材の一端部を偏心カムに当接させると共に、この第２アーム部材の他端部を前記の第１アーム部材における回転支軸と反対の端部に移動可能に連結させ、前記の偏心カムの回転により回動される第２アーム部材を介して、前記の第１アーム部材を回動させることを特徴とする画像形成装置。
【請求項３】
請求項１又は請求項２に記載の画像形成装置において、前記の偏心カムを前記の第１アーム部材と第２アーム部材との間の位置に設けたことを特徴とする画像形成装置。
【請求項４】
請求項３に記載の画像形成装置において、前記の第１アーム部材と第２アーム部材との間に空間部が形成されるように、第１アーム部材と第２アーム部材とを湾曲させ、第１アーム部材と第２アーム部材との間に空間部に前記の偏心カムを設けたことを特徴とする画像形成装置。
【請求項５】
請求項１〜請求項４の何れか１項に記載の画像形成装置において、装置本体に開閉可能に設けられた扉に、前記の転写ローラーを像担持体に対して近接・離間させる前記の第１アーム部材と第２アーム部材と偏心カムとを設けたことを特徴とする画像形成装置。
【発明の詳細な説明】
【技術分野】
【０００１】
本発明は、複写機，プリンタ，ファクシミリ及びこれらの複合機等の画像形成装置に関するものである。特に、トナー画像が形成された像担持体と、像担持体に対向して設けられた転写ローラーとの間に記録媒体を導き、像担持体に形成されたトナー画像を前記の転写ローラーにより記録媒体に転写させる画像形成装置において、前記の転写ローラーを像担持体に近接させた状態で、像担持体に形成されたトナー画像を記録媒体に転写させた後、この転写ローラーを像担持体から離間させるにあたり、装置を大型化させることなく、転写ローラーを像担持体から十分に離間させることができるようにした点に特徴を有するものである。
【背景技術】
【０００２】
複写機，プリンタ，ファクシミリ及びこれらの複合機等の画像形成装置においては、一般に、感光体や中間転写ベルト等の像担持体にトナー画像を形成し、この像担持体に対向して設けられた転写ローラーとトナー画像が形成された像担持体との間に記録媒体を導き、前記の転写ローラーに転写バイアス電圧を印加させて、像担持体に形成されたトナー画像を記録媒体に転写させることが行われている。
【０００３】
そして、このような画像形成装置において、像担持体に形成されたトナー画像を記録媒体に転写させた後も、像担持体に転写ローラーを接触させた状態にすると、像担持体に形成されるトナー画像が乱れたり、転写ローラーの表面が汚れたりするという問題があった。
【０００４】
このため、従来においても、像担持体に転写ローラーを近接させ、この転写ローラーにより像担持体に形成されたトナー画像を記録媒体に転写させた後、転写ローラーを像担持体から離間させることが行われている。
【０００５】
そして、このように転写ローラーを像担持体から離間させるにあたっては、特許文献１に示されるように、転写ローラーの回転軸を、回転支軸に回転可能に取り付けられたアーム部材に取り付け、前記の転写ローラーを像担持体に近接させる方向にアーム部材を付勢するバネ等の付勢手段を設けると共に、前記の転写ローラーを像担持体から離間させる方向に前記のアーム部材を回動させる偏心カムを設け、像担持体に形成されたトナー画像を記録媒体に転写させる場合には、前記の付勢手段によって転写ローラーを像担持体に近接させる一方、トナー画像を記録媒体に転写させた後は、前記の偏心カムを回転させて、転写ローラーを像担持体から離間させる方向にアーム部材を回動させるようにしたものが提案されている。
【０００６】
しかし、特許文献１に示されるものにおいて、転写ローラーを像担持体から十分に離間させるように、アーム部材を回動させるためには、偏心カムを大きくして、アーム部材が回動される範囲を大きくすることが必要になり、装置が大型化するという問題があった。
【先行技術文献】
【特許文献】
【０００７】
【特許文献１】特開２００５−３００８４７号公報
【発明の開示】
【発明が解決しようとする課題】
【０００８】
本発明は、トナー画像が形成された像担持体と、像担持体に対向して設けられた転写ローラーとの間に記録媒体を導き、像担持体に形成されたトナー画像を前記の転写ローラーにより記録媒体に転写させるようにした画像形成装置における前記のような問題を解決することを課題とするものである。
【０００９】
すなわち、本発明は、前記のような画像形成装置において、転写ローラーを像担持体に近接させた状態で、像担持体に形成されたトナー画像を記録媒体に転写させた後、この転写ローラーを像担持体から離間させるにあたり、装置を大型化させることなく、転写ローラーを像担持体から十分に離間させることができるようにすることを課題とするものである。
【課題を解決するための手段】
【００１０】
本発明に係る画像形成装置においては、前記のような課題を解決するため、トナー画像が形成された像担持体と、像担持体に対向して設けられた転写ローラーとの間に記録媒体を導き、像担持体に形成されたトナー画像を前記の転写ローラーにより記録媒体に転写させる画像形成装置において、前記の転写ローラーの回転軸を、回転支軸に回転可能に取り付けられた第１アーム部材に設けた軸受部に回転可能に保持させ、この第１アーム部材を回動させて転写ローラーを像担持体に対して近接・離間させるにあたり、支軸を中心に回動される第２アーム部材と、この第２アーム部材を回動させる偏心カムとを設け、前記の第２アーム部材を前記の第１アーム部材に連結させ、前記の偏心カムの回転により回動される第２アーム部材を介して、前記の第１アーム部材を回動させるようにした。
【００１１】
そして、前記の画像形成装置においては、前記の転写ローラーの回転軸を、一端部が回転支軸に回転可能に取り付けられた第１アーム部材に設けた軸受部に回転可能に保持させ、支軸を中心に回動される前記の第２アーム部材の一端部を偏心カムに当接させると共に、この第２アーム部材の他端部を前記の第１アーム部材における回転支軸と反対の端部に移動可能に連結させ、前記の偏心カムの回転により回動される第２アーム部材を介して、前記の第１アーム部材を回動させるようにすることができる。
【００１２】
ここで、前記の画像形成装置のように、転写ローラーの回転軸を軸受部に回転可能に保持させた第１アーム部材を回動させて、転写ローラーを像担持体に近接・離間させるにあたり、支軸を中心に回動される第２アーム部材と、この第２アーム部材を回動させる偏心カムとを設け、前記の第２アーム部材を前記の第１アーム部材に連結させ、前記の偏心カムの回転により前記の第２アーム部材を回動させて、前記の第１アーム部材を回動させるようにした場合、偏心カムを大きくしなくても、前記の第２アーム部材を介して、転写ローラーを回転可能に保持させた第１アーム部材を大きく回動させて、転写ローラーを像担持体から十分に離間させることができるようになる。
【００１３】
また、前記の画像形成装置において、前記のように第１アーム部材と第２アーム部材と偏心カムとを設けるにあたっては、これらによって装置が大型化しないようにするため、偏心カムを前記の第１アーム部材と第２アーム部材との間の位置に設けることが好ましい。また、このように偏心カムを前記の第１アーム部材と第２アーム部材との間の位置に設けるにあたっては、前記の第１アーム部材と第２アーム部材との間に空間部が形成されるように、第１アーム部材と第２アーム部材とを湾曲させ、この空間部に前記の偏心カムを設けることが好ましい。
【００１４】
また、前記の画像形成装置において、装置本体に開閉可能に設けられた扉に、前記の転写ローラーを像担持体に近接・離間させる前記の第１アーム部材と第２アーム部材と偏心カムとを設け、前記の扉を開けて、前記の第１アーム部材の軸受部に回転可能に保持された転写ローラーを取り出したりすることができる。
【発明の効果】
【００１５】
本発明の画像形成装置においては、前記のように転写ローラーの回転軸を軸受部に回転可能に保持させた第１アーム部材を回動させて、転写ローラーを像担持体に近接・離間させるにあたり、支軸を中心に回動される第２アーム部材と、この第２アーム部材を回動させる偏心カムとを設け、前記の第２アーム部材を前記の第１アーム部材に連結させ、前記の偏心カムの回転により回動される第２アーム部材を介して、前記の第１アーム部材を回動させるようにしたため、偏心カムを大きくしなくても、前記の第２アーム部材を介して、転写ローラーを回転可能に保持させた第１アーム部材を大きく回動させて、転写ローラーを像担持体から十分に離間させることができる。
【００１６】
この結果、本発明の画像形成装置においては、転写ローラーを像担持体に近接させた状態で、像担持体に形成されたトナー画像を記録媒体に転写させた後、この転写ローラーを像担持体から離間させるにあたり、装置を大型化させることなく、転写ローラーを像担持体から十分に離間させることができる。
【図面の簡単な説明】
【００１７】
【図１】本発明の一実施形態における画像形成装置によって画像形成を行う状態を示した概略説明図である。
【図２】同実施形態の画像形成装置において、二次転写ローラーの回転軸を第１アーム部材の軸受部に回転可能に保持させ、この第１アーム部材を回動させて、二次転写ローラーを中間転写ベルト（像担持体）に近接・離間させる状態を示し、（Ａ）は中間転写ベルトに形成されたトナー画像を記録媒体に転写させるにあたり、第１アーム部材を中間転写ベルトに向けて回動させて、二次転写ローラーを中間転写ベルトに近接させた状態を示した概略説明図、（Ｂ）は中間転写ベルトに形成されたトナー画像を記録媒体に転写させた後、第１アーム部材を中間転写ベルトから離れる方向に回動させて、二次転写ローラーを中間転写ベルトから離間させた状態を示した概略説明図である。
【図３】本発明の他の実施形態における画像形成装置において、転写ローラーの回転軸を第１アーム部材の軸受部に回転可能に保持させ、この第１アーム部材を回動させて、転写ローラーを感光体（像担持体）に近接・離間させる状態を示し、（Ａ）は感光体に形成されたトナー画像を記録媒体に転写させるにあたり、第１アーム部材を感光体に向けて回動させて、転写ローラーを感光体に近接させた状態を示した概略説明図、（Ｂ）は感光体に形成されたトナー画像を記録媒体に転写させた後、第１アーム部材を感光体から離れる方向に回動させて、転写ローラーを感光体から離間させた状態を示した概略説明図である。
【発明を実施するための最良の形態】
【００１８】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００１９】
この実施形態に係る画像形成装置においては、装置本体１内に、ドラム状になった４つの感光体１０を設けると共に、各感光体１０に対応させて、黄色，マゼンタ色，シアン色，黒色の異なった色彩のトナーを収容させた４つの現像装置１１を設けている。
【００２０】
そして、この画像形成装置においては、前記の各感光体１０を回転させて、各感光体１０の表面をそれぞれ帯電装置１２によって帯電させ、このように帯電された各感光体１０に対して、潜像形成装置１３によりそれぞれ画像データーに従った露光を行い、各感光体１０の表面にそれぞれ静電潜像を形成するようにしている。
【００２１】
次いで、このように静電潜像が形成された各感光体１０の表面に、それぞれ対応する各現像装置１１から各色彩のトナーを供給して、各感光体１０の表面にそれぞれの色彩のトナー画像を形成するようにしている。
【００２２】
そして、前記の各感光体１０に形成された各色彩のトナー画像を、所要間隔を介して設けられた回転ローラー１６間に架け渡されて回転駆動される無端状の中間転写ベルト（像担持体）１７の表面に、前記の各感光体１０と対向して設けられた各一次転写ローラー１８により順々に一次転写させて、この中間転写ベルト１７の表面に各色彩のトナー画像が合成されたフルカラーのトナー画像を形成するようにしている。一方、前記の中間転写ベルト１７に転写されずに各感光体１０の表面に残留しているトナーを、各感光体１０に対応して設けられた各第１クリーニング装置１４により各感光体１０の表面から除去させて回収するようにしている。
【００２３】
次いで、前記のように中間転写ベルト１７の上に形成されたフルカラーのトナー画像を、この中間転写ベルト１７により二次転写ローラー（転写ローラー）１９と対向する位置に導くようにすると共に、装置本体１の下部に収容された記録媒体Ｓを、給紙ローラー２１により給紙してタイミングローラー２２に送るようにしている。
【００２４】
そして、図２（Ａ）に示すように、前記の二次転写ローラー１９を中間転写ベルト１７に近接させ、この状態で、図１に示すように、前記のタイミングローラー２２により、記録媒体Ｓを適当なタイミングで近接された中間転写ベルト１７と二次転写ローラー１９との間に導き、中間転写ベルト１７の上に形成されたトナー画像を前記の二次転写ローラー１９により記録媒体Ｓに転写させるようにしている。
【００２５】
一方、記録媒体Ｓに転写されずに前記の中間転写ベルト１７の表面に残ったトナーを、第２クリーニング装置２０により中間転写ベルト１７の表面から除去させて回収するようにしている。
【００２６】
その後、中間転写ベルト１７からトナー画像が転写された記録媒体Ｓを定着装置２３に導き、転写されたトナー画像を記録媒体Ｓに定着させた後、このようにトナー画像が定着された記録媒体Ｓを排紙ローラー２４により排紙させるようにしている。
【００２７】
また、前記のように中間転写ベルト１７の上に形成されたトナー画像を二次転写ローラー１９により記録媒体Ｓに転写させた後は、図２（Ｂ）に示すように、二次転写ローラー１９を中間転写ベルト１７から離れる方向に移動させて、二次転写ローラー１９を中間転写ベルト１７から離間させるようにしている。
【００２８】
ここで、この実施形態における画像形成装置において、前記のように二次転写ローラー１９を、トナー画像が形成された中間転写ベルト１７に対して近接・離間させるにあたっては、図２（Ａ），（Ｂ）に示すように、前記の二次転写ローラー１９の回転軸１９ａを、一端部が回転支軸３１に回転可能に取り付けられた第１アーム部材３０に設けた軸受部３２に回転可能に保持させ、この第１アーム部材３０を回動させて、二次転写ローラー１９を中間転写ベルト１７に対して近接・離間させるようにしている。なお、二次転写ローラー１９の回転軸１９ａの端部を保持するように、第１アーム部材３０に軸受部３２を設けた場合に、この軸受部３２の部分の強度が低下するおそれがあるため、二次転写ローラー１９の回転軸１９ａの端部を保持する軸受部３２の幅や厚み等を大きくしたり、軸受部３２を補強する補強リブ等を設けるようにすることができる。
【００２９】
また、前記のように第１アーム部材３０を回動させて、二次転写ローラー１９を中間転写ベルト１７に対して近接・離間させるにあたっては、第１アーム部材３０を介して二次転写ローラー１９と反対側の位置に、支軸４１を中心に回動される第２アーム部材４０と偏心カム５０とを設け、この第２アーム部材４０の一端部を前記の偏心カム５０の外周面に接触させる一方、この第２アーム部材４０の他端部を、前記の第１アーム部材３０における回転支軸３１とは反対側の端部に連結させている。
【００３０】
そして、前記の偏心カム５０を回転させて、前記の第２アーム部材４０を前記の支軸４１を中心にして回動させ、これにより第１アーム部材３０を前記の回転支軸３１を支点として回動させて、この第１アーム部材３０の軸受部３２に回転可能に保持された二次転写ローラー１９を、トナー画像が形成された中間転写ベルト１７に対して近接・離間させるようにしている。
【００３１】
また、この実施形態における画像形成装置においては、第１アーム部材３０を介して二次転写ローラー１９と反対側の位置に、第２アーム部材４０と偏心カム５０とを設けるにあたり、前記の回転支軸３１側の端部と前記の第２アーム部材４０が取り付けられた他端部との間において、前記の第１アーム部材３０を二次転写ローラー１９に向けて突出するように湾曲させる一方、前記の第２アーム部材４０を第１アーム部材３０とは反対側に湾曲させ、このように湾曲された第１アーム部材３０と第２アーム部材４０との間の空間部に前記の偏心カム５０を設けるようにしている。このようにすると、第１アーム部材３０と第２アーム部材４０と偏心カム５０とを装置本体１内においてコンパクトに配置させることができ、これらによって装置本体１が大型化するということがない。
【００３２】
また、この実施形態における画像形成装置においては、前記の第２アーム部材４０の他端部を、第１アーム部材３０における回転支軸３１とは反対側の端部に連結させるにあたり、第１アーム部材３０における回転支軸３１とは反対側の端部に取付軸部３３を設け、この取付軸部３３に第２アーム部材４０の他端部をスライド可能に取り付け、前記の取付軸部３３の端部に止めフランジ３４を設けると共に、この止めフランジ３４との間で前記の第２アーム部材４０の他端部を挟むようにして当接部材３５を取付軸部３３にスライド可能に設け、この当接部材３５を、取付軸部３３に挿通させたバネ部材３６により第２アーム部材４０の他端部に向けて付勢させるようにしている。
【００３３】
ここで、図２（Ａ）に示すように、前記の偏心カム５０を回転させて、第２アーム部材４０の一端部を、前記の偏心カム５０の軸５１から離れた位置Ｐ１における偏心カム５０の外周面に接触させると、前記の支軸４１を中心にして、第２アーム部材４０の偏心カム５０側の部分が二次転写ローラー１９から離れる方向に回動される一方、第１アーム部材３０の端部に連結された第２アーム部材４０の他端部が二次転写ローラー１９に向かう方向に回動される。
【００３４】
そして、このように回動される第２アーム部材４０の他端部により、第１アーム部材３０の取付軸部３３にスライド可能に取り付けられた当接部材３５が二次転写ローラー１９に向けて押され、前記のバネ部材３６を介して第１アーム部材３０が二次転写ローラー１９に向けて付勢されて、この第１アーム部材３０が前記の回転支軸３１を支点として二次転写ローラー１９に向けて回動され、第１アーム部材３０の軸受部３２に回転可能に保持された二次転写ローラー１９が、前記の中間転写ベルト１７の表面に適当な圧力で接触されるようになる。そして、この状態で、前記のように記録媒体Ｓを中間転写ベルト１７と二次転写ローラー１９との間に導き、中間転写ベルト１７の上に形成されたトナー画像を前記の二次転写ローラー１９により記録媒体Ｓに転写させるようにする。
【００３５】
一方、前記のように中間転写ベルト１７の上に形成されたトナー画像を二次転写ローラー１９により記録媒体Ｓに転写させた後、図２（Ｂ）に示すように、前記の偏心カム５０を回転させて、第２アーム部材４０の一端部を、前記の偏心カム５０の軸５１に近接した位置Ｐ２における偏心カム５０の外周面に接触させると、前記の支軸４１を中心にして、第２アーム部材４０の偏心カム５０側の部分が二次転写ローラー１９に向かう方向に回動される一方、第１アーム部材３０の端部に連結された第２アーム部材４０の他端部が二次転写ローラー１９から離れる方向に回動される。
【００３６】
そして、このように第２アーム部材４０の他端部が二次転写ローラー１９から離れる方向に回動されると、この第２アーム部材４０の他端部によって第１アーム部材３０の取付軸部３３の端部に設けられた前記の止めフランジ３４が二次転写ローラー１９から離れる方向に押されると共に、前記のバネ部材３６により第１アーム部材３０の取付軸部３３にスライド可能に取り付けられた当接部材３５が前記の止めフランジ３４に向けて押されて、第２アーム部材４０の他端部を前記の止めフランジ３４との間で挟むように移動する。これにより、この第１アーム部材３０が前記の回転支軸３１を支点として二次転写ローラー１９から離れる方向に回動され、第１アーム部材３０の軸受部３２に回転可能に保持された二次転写ローラー１９が、前記の中間転写ベルト１７から離間されるようになる。
【００３７】
また、この実施形態における画像形成装置において、中間転写ベルト１７と対向するようにして二次転写ローラー１９を設けるにあたっては、図１に示すように、装置本体１の側部に開閉可能に設けられた扉２に、二次転写ローラー１９を設けるようにすることができ、この場合には、図示していないが、前記の扉２の内面側に、前記の第１アーム部材３０と第２アーム部材４０と偏心カム５０とを設けるようにする。
【００３８】
なお、この実施形態における画像形成装置においては、前記のように中間転写ベルト１７の上に形成されたトナー画像を二次転写ローラー１９により記録媒体Ｓに転写させるにあたり、トナー画像が形成された中間転写ベルト１７に対して二次転写ローラー１９を近接・離間させるようにしたが、本発明の画像形成装置はこのようなものに限定されない。
【００３９】
例えば、図３（Ａ），（Ｂ）に示すように、中間転写ベルト１７を用いないようにし、トナー画像が形成される感光体（像担持体）６０に対して転写ローラー６１を近接・離間させて、感光体６０に形成されたトナー画像を転写ローラー６１により記録媒体Ｓに転写させる場合においても、前記の二次転写ローラー１９の場合と同様に、この転写ローラー６１の回転軸６１ａの端部を、一端部が回転支軸３１に回転可能に取り付けられた第１アーム部材３０に設けた軸受部３２に回転可能に保持させ、この第１アーム部材３０を回動させて、転写ローラー６１を感光体６０に近接・離間させるようにすることができる。
【００４０】
そして、この場合においても、前記の第１アーム部材３０を介して転写ローラー６１と反対側の位置に、支軸４１を中心に回動される第２アーム部材４０と偏心カム５０とを設け、この第２アーム部材４０の一端部を前記の偏心カム５０の外周面に接触させる一方、この第２アーム部材４０の他端部を、前記の第１アーム部材３０における回転支軸３１とは反対側の端部に連結させ、前記の偏心カム５０を回転させて、前記の第２アーム部材４０を前記の支軸４１を中心にして回動させ、これにより第１アーム部材３０を前記の回転支軸３１を支点として回動させ、この第１アーム部材３０の軸受部３２に回転可能に保持された転写ローラー６１を、トナー画像が形成された感光体６０に対して近接・離間させるようにすることができる。
【符号の説明】
【００４１】
１    装置本体
２    扉
１０  感光体
１１  現像装置
１２  帯電装置
１３  潜像形成装置
１４  第１クリーニング装置
１６  回転ローラー
１７  中間転写ベルト（像担持体）
１８  一次転写ローラー
１９  二次転写ローラー（転写ローラー）、１９ａ  回転軸
２０  第２クリーニング装置
２１  給紙ローラー
２２  タイミングローラー
２３  定着装置
２４  排紙ローラー
３０  第１アーム部材
３１  回転支軸
３２  軸受部
３３  取付軸部
３４  止めフランジ
３５  当接部材
３６  バネ部材
４０  第２アーム部材
４１  支軸
５０  偏心カム
５１  軸
６０  感光体
６１  転写ローラー、６１ａ  回転軸
Ｓ    記録媒体
【図１】
2017097094.tif 000003
【図２】
2017097094.tif 000004
【図３】
2017097094.tif 000005